(57)【要約】【目的】  取付台に対する鋲本体の着脱を容易にすること及び及び鋲の緩みや脱落を防止することである。【構成】  鋲本体（３）と、取付台（２）からなる。前記鋲本体（３）は一方向に膨出する膨出部（３３ｂ）を有する幹部（３３）と、この膨出部を支持する基部（３７）と、基部下部に設けられた接地部（３４）からなる。前記取付台（２）は基部（２１）と、基部から突出するリング（２２）からなり、リング（２２）には前記膨出部（３３ｂ）が収容可能な切り込み（２４）が設けられている。鋲本体（３）は前記幹部（３３）を含む第１部分（３１）と前記基部（３７）を含む第２部分（３２）の少なくとも２部品からなり、前記第１，第２部分は分離及び結合可能である【選択図】  図１
2006000343.tif 000002
【特許請求の範囲】
【請求項１】
接地部（３４，３６）を有する鋲本体（３）と、鋲本体の取付台（２）からなり、
前記鋲本体（３）は、頭部（３３ａ）において横方向片側のみに膨出する膨出部（３３ｂ）を有する幹部（３３）と、この膨出部を支持する基部（３７）からなり、
前記取付台（２）は、基部（２１）と、基部から突出するリング（２２）からなり、リングには前記膨出部（３３ｂ）が収容可能な切り込み（２４）が設けられているスポーツシューズ用鋲において、
前記鋲本体（３）が前記幹部（３３）を含む第１部分（３１）と前記基部（３７）を含む第２部分（３２）の少なくとも２部品からなり、前記第１，第２部分（３１，３２）は分離及び結合可能であることを特徴とするスポーツシューズ用鋲。
【請求項２】
前記第２部分（３２）には貫通孔（３８）があり、この貫通孔を前記第１部分（３１）の幹部（３３）が挿通する請求項１記載のスポーツシューズ用鋲。
【請求項３】
前記第１部分（３１）は抜け止め用の円板部（３５）を有する請求項１又は２記載のスポーツシューズ用鋲。  
【請求項４】
前記第１部分（３１）と前記第２部分（３２）の間に引き剥がし用の隙間（４０）がある請求項１ないし３のいずれかに記載のスポーツシューズ用鋲。
【請求項５】
前記接地部（３４，３６）が、前記第１部分（３１）にも前記第２部分（３２）にも設けられている請求項１ないし４のいずれかに記載のスポーツシューズ用鋲。
【発明の詳細な説明】
【技術分野】
【０００１】
本発明はスポーツシューズ用鋲に関する。以下の説明ではゴルフ靴を例に挙げるが、その他野球靴、サッカーシューズ等にも応用可能である。
【背景技術】
【０００２】
ゴルフ靴用鋲は靴底に埋設された座板（取付台）とこれに取り付けるピン（鋲本体）とからなり、両者は着脱自在である。両者を着脱自在とする方法は、例えばピンの根元部に設けられた雄ねじを座板内側の雌ねじにねじ込むことによる。
【０００３】
ゴルフ靴用鋲は、左右両足のゴルフ靴を合わせて、約１０〜３０個設けられているので、すべてのピンを着脱するのは時間と手間のかかる作業である。また、そのようにネジで取り付けたものは、ゴルファーのスイングに伴ってだんだん緩み、ついには抜け落ちてしまうおそれもある。
【０００４】
この問題点を解決するために、本発明者は、下記特許文献１において、「接地部を有する鋲本体と、鋲本体の取付台からなり、前記鋲本体と取付台のいずれかの要素は、先端部において横方向片側のみに膨出する膨出部を有する幹部と、この膨出部を支持する基部からなり、前記鋲本体と取付台の他方の要素は、基部と、基部から突出するリングからなり、リングには前記膨出部が収容可能な切り込みが設けられていることを特徴とするスポーツシューズ用鋲」を提案した。
【特許文献１】特開２００１−１３７００９
【発明の開示】
【発明が解決しようとする課題】
【０００５】
特許文献１では、鋲本体には「先端部において横方向片側のみに膨出する膨出部」が取り付けられ、一方、取付台には「前記膨出部が収容可能な切り込み」が設けられる。これらを組み合わせるため、その着脱は方向性を有する。この方向性に逆らう力に対しては強固に抵抗するが、その方向性と同じ方向への力に対してはどうしても弱くなりがちである。本発明は、特許文献１の発明の改良であって、着脱の方向性と同じ方向への力に対しても、抵抗力を高め、それにより鋲の緩みや脱落をさらに強固に防止することを目的とする。
【課題を解決するための手段】
【０００６】
本発明は、接地部を有する鋲本体と、鋲本体の取付台からなり、前記鋲本体は、頭部において横方向片側のみに膨出する膨出部を有する幹部と、この膨出部を支持する基部からなり、前記取付台は、基部と、基部から突出するリングからなり、リングには前記膨出部が収容可能な切り込みが設けられているスポーツシューズ用鋲において、前記鋲本体が幹部を含む第１部分と基部を含む第２部分の少なくとも２部品からなり、前記第１，第２部分は分離及び結合可能であることを特徴とする。
【発明の効果】
【０００７】
本発明は、鋲本体と取付台を着脱するのにねじを用いないので、製造コストを削減することができる。また、ねじを使用せず、単に押し込んだり、器具で持ち上げたりするだけなので、着脱が簡単である。その結果、１０〜３０個の鋲本体の着脱に要する時間は大幅に短縮することができた。また、ネジを使用する場合と異なり、鋲本体が緩んだり脱落したりするおそれは少ない。
【０００８】
さらに本発明によれば、前記鋲本体が幹部を含む第１部分と接地部を含む第２部分の少なくとも２部品からなるので、接地部にかかった負荷がそのまま幹部に伝わることがなく、第１部分と第２部分の隙間により吸収される。その結果、着脱の方向性に逆らう方向の力に対してはもちろん、同じ方向の力に対しても抵抗力をもつようになり、鋲本体の緩みを防止することができる。その結果、鋲本体の脱落の危険を顕著に減らすことができた。
【発明を実施するための最良の形態】
【０００９】
前記第２部分には貫通孔があり、この貫通孔を前記第１部分の幹部が挿通するようにしてこれら２部分が結合することが好ましい。 さらに結合を強固なものとするために前記第１部分には抜け止め用の円板を設けることが好ましい。
【００１０】
前記第１部分と前記第２部分の間には隙間を設けることが好ましい。両部分を分離させるときには、この隙間にへらのような器具を挿入する。
【００１１】
前記接地部は、前記第１部分と前記第２部分の両方に設けることが、鋲を安定させるために好ましい。
【実施例１】
【００１２】
以下、添付の図面に基づき、本発明の実施例を説明する。
【００１３】
図１は本発明第１実施例に係るゴルフ靴用鋲が靴底に埋設されている状態の断面図である。
【００１４】
同図から明らかなように、靴底１に取付台２が埋設され、その取付台に鋲本体３がはめ込まれている。
【００１５】
鋲本体３は、図２（断面図），図３ａ（平面図）、図３ｂ（底面図）に示すように、少なくとも幹部３３を含む第１部分３１及び基部３７を含む第２部分３２からなり、第１，第２部分３１，３２は分離及び結合可能である。
【００１６】
図２に示すように、第１部分３１の幹部３３はほぼ円柱形であるが、その頭部３３ａは横方向に延びる膨出部分３３ｂとなっている。その結果、平面視すれば、図３に示すように、楕円を半分にした形状である。図２に示すように、膨出部の底部３３ｃは平坦面を形成している。幹部３３の膨出していない側は滑らかな面取り部３３ｄを形成している。
【００１７】
図２に示すように、第１部分３１はさらに円板部３５及び接地部３６を有する。円板部３５は、第１部分３１を第２部分３２と結合させたときに第２部分３２と接触して、抜け止めとして作用する。接地部３６は図示の実施例では下方に向かう１個所の中央突起からなる。
【００１８】
第２部分３２は、基部３７と、接地部３４と、第１部分貫通用の中央孔３８からなる。基部３７は肉厚のすり鉢状であり、周囲に向かって徐々に隆起している。基部３７の中央には円形のくぼみ３９があり、第１部分３１と第２部分３２を結合させたとき、このくぼみ３９に前記円板部３５が着座する。
【００１９】
接地部３４は図示の実施例では下方に向かう数カ所の突起からなる。接地部３４は、図示する形状の他、ピン状でもよいし、板状であってもよい。
【００２０】
上記説明から自明なように、第１部分３１と第２部分３２を結合させるには、単に第２部分の中央孔３８に第１部分の幹部３３を差し込むだけである。
【００２１】
図４，図５は本発明第１実施例に係るゴルフ靴の靴底４に埋設される取付台２を示し、図４は断面図、図５は底面図である。
【００２２】
取付台２は、円形基部２１と、この円形基部２１の中央に設けられ、下方に突出するリング２２からなる。「リング」といってもこの実施例では円形ではなく、「Ｄ」形である。円形基部２１には靴底４の樹脂と強く一体化させるための貫通孔２３が複数個（図面では８個）設けられている。図４に示すように、リング２２の根元側の約半分には、前記膨出部３３ｂを受け入れる大きさと形状を有する切り込み２４が設けられている。切り込みの底部２５は平坦面となっている。また、リング２２の開放先端は内側に向かって角が切り取られて、傾斜部２６となっている。
【００２３】
取付台２及び鋲本体３（第１部分３１，第２部分３２）は、通常、すべて合成樹脂から製作される。
【００２４】
鋲本体３と取付台２を結合させるには、まず、前記要領で鋲本体３の第１部分３１と第２部分３２を結合させる。ついで、取付器具を用いて鋲本体３を取付台２に押し込むだけでよい。そのような器具が手近にないときには、指で押し込むこともできる。最初は膨出部３３ｂがリング２２先端に当たって抵抗があるが、そのまま押し込むと、双方の樹脂が僅かに変形し、膨出部３３ｂがリング２２の切り込み２４にはまりこむ。この状態では膨出部３３ｂの底面３３ｃと切り込み２４の底面２５が接触して、鋲本体３と取付台２の位置が安定的する（図１参照）。
【００２５】
鋲本体３と取付台２の結合を解除するには、図１に示すように、専用の器具４１を使用する。器具４１は「く」の字型または「Ｚ」型で、先端を第１部分３１と第２部分３２の間の隙間４０に差し込み、力を左方向（「く」の字型のとき）又は上方向（「Ｚ」型のとき）に加える。すると、膨出部３３ｂの底面３３ｃと切り込み２４の底面２５の接触部を中心として回動が始まり、幹部面取り３３ｄがリング２２に沿って滑り降り、やがて、両者の係合が解ける。この説明から明らかなように、隙間４０を設ける位置は鋲本体３幹部の膨出していない側でなければならない。「専用の器具」を使用すると書いたが、傾斜部に沿って鋲本体を持ち上げるという目的に適うものであれば、身近にある「へら」や金属板なども使用することができる。
【実施例２】
【００２６】
図６は本発明第２実施例に係る鋲本体３Ａの平面図である。第１実施例の鋲本体３と異なるのは、膨出部分３３ｂ’の形状だけである。この膨出部分３３ｂ’は平面視すれば楕円である。
【００２７】
図７は本発明第２実施例に係る取付台２Ａの底面図である。第１実施例の取付台２と異なるのは、切り込み２４’の形状だけである。この膨出部分２４’は平面視すれば楕円である。その他、第１実施例と同じ機能を有する部分には同じ符号に「’」を付けて、その説明を省略する。
【図面の簡単な説明】
【００２８】
【図１】本発明第１実施例に係る、スポーツシューズ用鋲が靴底に埋設されている状態の断面図である。
【図２】本発明第１実施例の鋲本体の断面図である。
【図３】本発明第１実施例の鋲本体の平面図である。
【図４】本発明第１実施例の取付台の断面図である。
【図５】本発明第１実施例の取付台の底面図である。
【図６】本発明の第２実施例に係る、スポーツシューズ用鋲の平面図である。
【図７】本発明第２実施例の取付台の底面図である。
【符号の説明】
【００２９】
１    靴底
２，２Ａ    取付台
４    靴底
２１  円形基部
２２  リング
２３  貫通孔
２４  膨出部分
２５  底部
２５  底面
２６  傾斜部
３，３Ａ    鋲本体
３１  第１部分
３２  第２部分
３３  幹部
３３ａ  頭部
３３ｂ   頭部膨出部
３３ｃ   頭部膨出部底部
３３ｃ   頭部膨出部底面
３４  接地部
３５  円板部
３６  接地部
３７  基部
３８  中央孔
４０  隙間
４１  器具
【図１】
2006000343.tif 000003
【図２】
2006000343.tif 000004
【図３】
2006000343.tif 000005
【図４】
2006000343.tif 000006
【図５】
2006000343.tif 000007
【図６】
2006000343.tif 000008
【図７】
2006000343.tif 000009